Podtech/llm-jp-corpus-v4-ja_patent huggingface dataset:
(57)【要約】【課題】  普通の着物と同様に着用出来、背中中央部分から柄の縦の繋ぎ目が無くなり、背中中央の柄に絵画的効果が生み出され、そして、その回りの部分が絵画の額縁的効果を生みだすそのために、芸術性の高い絵画を鑑賞するような物となる着物を提供する。【解決手段】  着物の背中部分を分割し、背中中央から生地の縦の繋ぎ目を無くした着物を作成した。【選択図】図１
0003132976.tif 000002
【実用新案登録請求の範囲】
【請求項１】
着物の背中全体に何枚もの生地を使用して、その縫い合わせ方を、中心になる部分と回りを囲む部分になるように仕立てた着物
【考案の詳細な説明】
【技術分野】
【０００１】  本考案は、着物の背中部分の仕立てに関する物である。
【背景技術】
【０００２】  従来の着物は、背中中央で縦に二枚の生地を繋ぎ合わせていた。
【考案の開示】
【考案が解決しようとする課題】
【０００３】  従来の着物は、背中中央に縦に生地の繋ぎ目があるため、柄に繋ぎ目が出来ていた。そのために、柄がとぎれたり歪んだ柄となっていた。特に人物の顔の柄などが繋ぎ目にあたった場合には、非常に見苦しい物となっていた。従って、この縦の生地の繋ぎ目を無くすことによって、この欠点を解決しようとするものである。
【課題を解決するための手段】
【０００４】  本考案は、着物の背中中央部分に柄で縦に繋ぎ目のない任意の幅と高さの生地をとり、その生地とその生地の回りになる部分を縫い合わす事によって、背中中央の縦の繋ぎ目の問題を解決している。
【考案の効果】
【０００５】  上述のように、本考案の背中中央に縦に繋ぎ目の無い着物は、柄自体に繋ぎ目が無くなり、又柄がとぎれたり歪んだりも無くなり、より芸術性の高い絵画的な着物が作成できる。
【考案を実施するための最良の形態】
【０００６】  着物の背中を広げた形で、衣桁などに飾ったとき背中中央に縦に繋ぎ目がないため、中心部分の柄が第一印象となり、一枚の絵画のように感じられ、回りの部分が絵画の額縁的効果を果たす役割となり、そのことによって、絵画の鑑賞のような形態となる。
【実施例】
【０００７】  以下、添付図面に従って一実施例を説明する。１は、着物の背中中央になる任意の幅と高さの部分で、縦に繋ぎ目の無い柄である。【０００８】  背中中央部分１の横幅と、上の部分２ａと下の部分２ｂとは、同じ横幅となるように作成する。【０００９】  背中中央部分１に足した、上の部分２ａと下の部分２ｂとの三つの部分の合計の縦の長さと同じ長さの右部分３ａと左部分３ｂとを作成する。【００１０】  上述の背中中央部分１の生地に回りの部分２ａ、２ｂ、３ａ、３ｂを繋ぎ合わせる。図のように繋ぎ合わせる事により、背中中央部分から縦の繋ぎ目が無くなり、その事により、中央の柄に繋ぎ目や歪みが無くなる事となる。そして、その背中全体像は、背中中央の柄が絵画的効果を表し、又回りの部分が絵画の額縁的効果を表す。よって、より高い芸術性を醸し出す着物となる。
【図面の簡単な説明】
【００１１】
【図１】本考案の着物を背中から見た説明図である。
【符号の説明】
【００１２】  １    着物の背中中央部分
２ａ  着物の背中中央部分に対して上部分
２ｂ  着物の背中中央部分に対して下部分
３ａ  着物の背中中央部分に対して右側部分
３ｂ  着物の背中中央部分に対して左側部分
【図１】
0003132976.tif 000003
(57)【要約】【課題】本考案は小さな穴を多数もつ生ゴミ容器や、針金などで形成された粗い目をもつ容器に小さな穴をもつ袋を取付けるようにした生ゴミ容器などの汚れを除去する手間を省いたり、生ゴミ容器の側面から中のゴミを見えにくくし不潔感を軽減したり、生ゴミ容器をシンク内で自由に移動できるようにした、使用性の良い生ゴミ容器を提供する。【解決手段】上下に開口部をもち側面壁に穴をなくした筒状の容器の上側開口部から内側に穴つき袋を装着し、容器上端部に着脱自在に係止でき、容器上端部に取付けた時、容器の上側開口部周縁近傍を覆い、容器の上側開口部に連通する中央開口部を持つカバーと容器との間に袋を挟持係止できる構造とすることにより、生ゴミは袋ごと捨てられ、容器の汚れ除去の手間が少なく、不潔感が軽減され、シンク内を自由に移動できる使用性の良い生ゴミ容器となる。【選択図】図４
0003132974.tif 000002
【実用新案登録請求の範囲】
【請求項１】
容器内側に穴つき袋を装着し、前記袋にゴミを入れるゴミ容器において、容器は上下に開口部をもち側面壁に穴のない筒状をしており、容器の上端部に着脱自在に係止でき、容器の上端部に取り付けた時、容器の上側開口部周縁近傍を覆い、かつ容器の上側開口部に連通する中央開口部をもつカバーと  前記容器との間に前記袋を挟持して係止できるようにしたことを特長とする生ゴミ容器。
【考案の詳細な説明】
【技術分野】
【０００１】  本考案はシンクにおいて生ゴミ等を投入廃棄する生ゴミ容器に関するものである。
【背景技術】
【０００２】  シンクに置く生ゴミ容器は図５のように小さな穴１５を多数もつ容器や図６のように金網１２にて形成し、ゴミは中に貯めて液体は流れ出すようにしたものがある。また図８のように針金他の線材にて粗い目の容器１１を形成し、図７のように容器１１内側に多数の小さな穴をもつ袋７（以後、袋という）を装着し生ゴミは袋７に貯め液体は流れ出すようにしたものがある。袋７のゴミを捨てるときはゴミの入った袋ごと捨てる。図９のように輪状の枠１３に袋７を装着し、輪状の枠１３についた吸盤１４をシンクの側面壁に吸着させ生ゴミは袋７に貯めて液体が流れ出すようにしたものがある。また特許公開２００１−３３５１０４（発明名称：底なし３角コーナー）のように針金で形成した三角枠に袋７を装着使用するものがある。
【考案の開示】
【０００３】  図５や図６の生ゴミ容器では細かいゴミや水垢、ぬめりが容器の小さな穴に詰り汚く、取除くのに手間が掛かる。また図７の生ゴミ容器ではゴミは袋ごと捨てられるが容器を構成している針金にも水垢、ぬめりが付着し、それらを除去するのに手間が掛かる。図９のゴミ容器では吸盤１４でシンクの側面壁に吸着固定させるためシンク内を自由に移動できない欠点がある。又特許公開２００１−３３５１０４は図７と同様の欠点がある。従って容器の小さな穴や袋７を取付ける針金の構造物などの汚れを除去する手間を省き、シンク内で自由に移動できるようにして前述の欠点を解決しようとするものである。
【課題を解決するための手段】
【０００４】  上下に開口部をもち側面壁の多数の小穴をなくした筒状の容器の上側開口部から内側に袋７を取り付け、容器１の上端部５に着脱自在に係止でき、容器上端部５に取り付けた時この容器の上側開口部周縁を覆い、かつ容器の上側開口部に連通する中央開口部をもつカバーにて袋７を挟持して係止できるようにすることにより問題を解決している．
【考案の効果】
【０００５】  前述のように  本考案のゴミ容器は多数の小穴を側面壁からなくした筒状の容器にすることで  従来のゴミ容器にあるような多数の小穴や多数の針金で形成された容器の汚れを除去する手間が省かれ  ゴミの入った袋を捨てるだけで容器の掃除が容易になる。また筒状の容器の上側開口部に袋７を装着しカバーにて挟持係止できる構造のため  袋がずれるという使いにくさが解決される．またゴミ容器の側面壁に穴がなく容器の側面からはゴミが見えないためゴミの不潔感が軽減される．またゴミ容器の移動が自由という使い易さの効果がある。
【考案を実施するための最良の形態】
【０００６】  上下に開口部をもち側面壁から穴をなくした筒状の容器の上端部外周に係止用ネジ部を設け、この容器の上側開口部に着脱自在に係止でき、上側開口部に取つ付けた時、上側開口部周縁近傍を覆い、容器の上側開口部に連通する中央開口部を持つカバーに  前記容器上端部外周の係止用ネジ部に相対するネジ部を設け、容器上側開口部から内側に袋７を装着し  前記カバーを係止することで袋が挟持され容器に係止される構造とする。
【実施例】
【０００７】  以下、図面に従って一実施例を説明する。図３に示すようにゴミ容器１は上側開口部２、下側開口部３をもつ筒状の形状をしており、筒状の側面壁４は穴のない壁となっている。筒状の上端部５外周にはネジ式の係止用突起６が設けられている。このゴミ容器１はプラスチック等の素材にて一体に形成されている。【０００８】  図２に示すのは多数の小穴をもつ（又は網状の）袋７である。この袋７は一般に市販されている牛ゴミ用の小穴をもつ袋、又はメッシュ状の袋である。【０００９】  図１は  ゴミ容器１の上端部５に取り付けた時、上側開口部２の周縁８近傍を覆い、上側開口部２に連通する中央開口部９をもち、上端部５外周を覆う位置に前記ネジ用突起６に相対する係止部（図示せず）を設けているカバー１０である。このカバー１０はプラスチック等の素材にて一体に形成されている。【００１０】  図４はゴミ容器１の上端部５外周から上側開口部２の周縁８そして内側にかけて袋７を装着し、上端部５にカバー１０を取り付けて袋７を容器１との間に挟持係止した図である。
【図面の簡単な説明】
【００１１】
【図１】本考案のカバーの実施例を示す図
【図２】本考案に用いる袋の実施例を示す図
【図３】本考案の容器の実施例を示す図
【図４】図１、図２、図３の部品を組み立てた生ゴミ容器の実施例の図
【図５】小穴を多数もつ従来実施例の生ゴミ容器
【図６】金網にて形成された従来実施例の生ゴミ容器
【図７】針金で形成した粗い目をもつ容器に袋を装着した従来実施例の生ゴミ容器
【図８】図７の針金で形成した粗い目をもつ容器のみの図
【図９】吸盤をもつ輪状の枠に袋を装着した従来実施例の生ゴミ容器
【符号の説明】
【００１２】  １………ゴミ容器
２………上側開口部
３………下側開口部
４………側面壁
５………上端部
６………係止用突起
７………袋
８………上側開口部周縁
９………中央開口部
１０……カバー
１１……粗い目の容器
１２……金網
１３……輪状の枠
１４……吸盤
１５……小穴
【図１】
0003132974.tif 000003
【図２】
0003132974.tif 000004
【図３】
0003132974.tif 000005
【図４】
0003132974.tif 000006
【図５】
0003132974.tif 000007
【図６】
0003132974.tif 000008
【図７】
0003132974.tif 000009
【図８】
0003132974.tif 000010
【図９】
0003132974.tif 000011
(57)【要約】【課題】水中で滑りやすいダイビングウエイトの脱着を容易にする。【解決手段】絞り形状のウエイトにエンボス加工を施し、フックを取り付けることにより、持ち運び、脱着を容易にする。【選択図】図１
0003132971.tif 000002
【実用新案登録請求の範囲】
【請求項１】
エンボス加工と、絞り形状によって、滑り止め加工されたベルト通しのあるダイビング用の鉛に、フックを取り付け、ベルトから外せばフックを利用してウエイトの脱着が自由に行えることを特徴としたダイビングウエイト。
【考案の詳細な説明】
【技術分野】
【０００１】本考案は、ダイビングウエイトに関するものである。
【背景技術】
【０００２】ダイビングウエイトは、ウエットスーツなどの浮力を相殺するために腰へ巻くのが常識とされていたが、取り外しや、装着の機能性を有していない。
【考案の開示】
【考案が解決しようとする課題】
【０００３】本考案は、ダイビング中に排出した空気により、ダイビング終了が近づくにつれて浮き気味になった人に、多めに持っている人のベルトからウエイトを外して渡していた。
しかしそれには手間とウエイトをベルトに通す手間がかかり、地上と違う条件の水中では落としたり、吹き上げたりのリスクも伴っていたという点である。
【課題を解決するための手段】
【０００４】本考案は、エンボス加工と、絞り形状によって、滑り止め加工を施したウエイトに、フックを取り付けることによりウエイトの脱着が滑らず安易に行えることを最も主要な特徴とする。
【考案の効果】
【０００５】本考案のフック付きウエイトは、自分のウエイトを取り外して、相手に取り付けるまでの手間を軽減してリスクを減らし、持ち運びにも便利という利点がある。
【考案を実地するための最良の形態】
【０００６】フックは、ウエイトを握りながら開閉の作業がしやすい大きさ、場所に設定。滑り止めエンボス加工を施しました。
【図面の簡単な説明】
【０００７】
【図１】フック付きウエイトを写した写真である。
【符号の説明】
【０００８】１、ウエイトベルト通し穴
２、絞り形状
３、エンボス加工
４、フック
【図１】
0003132971.tif 000003
(57)【要約】【課題】パズル塊が容易に落ちたり、なくなったりしないパズル接式平板を提供する。【解決手段】パズル接式平板１０は、第一パズル接塊１２と、第一パズル接塊１２の一側に連接した若干の第二パズル接塊１４とを有し、各第一パズル接塊１２及び第二パズル接塊１４の対応辺に更に形状を互いに補う連接部が設けられている。【選択図】図１
0003132109.tif 000002
【実用新案登録請求の範囲】
【請求項１】
裁切ナイフを利用してパズル接式平板の辺縁から切り込んだ後で、予定の道径に沿って適当な位置に裁切した後に、裁切ナイフを収めてパズル接式平板を形成した平板であって、
第一パズル接塊と、第一パズル接塊の一側に連接した若干の第二パズル接塊とを有し、各第一パズル接塊及び第二パズル接塊の対応辺に更に形状を互いに補う連接部が設けられ、各該連接部によって第一パズル接塊及び第二パズル接塊が平板にパズル的に接していることを特徴とするパズル接式平板。
【請求項２】
適当な柔軟度がある材質で製作されることを特徴とする請求項１に記載のパズル接式平板。
【請求項３】
弾性発泡材料で製作されることを特徴とする請求項２に記載のパズル接式平板。
【請求項４】
表面に更に布材層が貼られることを特徴とする請求項３に記載のパズル接式平板。
【請求項５】
表面に図案或いは文字を設置することを特徴とする請求項３或いは４に記載のパズル接式平板。
【考案の詳細な説明】
【技術分野】
【０００１】
本考案はマット及びパズルに関し、パズル塊が散り落ちないパズル接式平板に関するものである。
【背景技術】
【０００２】
平板状マットとパズルとは、常時見られる子供の知識を高める遊び用品及び日常用品であり、関連の特許も多く、マットは発泡材料等で製作されているのもが多い。使用の際は、マットの凹凸状の辺縁を利用して近接のマットと対応し、パズル接して地面上に舗設する。そして興味と教育性とを高めるために、部分のマット上は更に予定形状の透空を設けて、輪郭が同じ文字或いは図案のパズル塊に対応してはめ込む或いは、取り外す（例えば子供が生活する部屋の地面上に舗設したマット）。この外に、周知のパズル構造は、大体、一つの受のせ板（盤）及び、パズル接ができて受のせ板上に置くことができる多数個のパズル塊を有し、各パズル塊のパズル接の方式は、ほぼ前記で述べたマットと同じで、パズル塊の弧状辺縁を利用して、近接したパズル塊と対応し、パズル接して各パズル塊の表面に設けている完全な図案を形成する。
前記で述べたように、周知の文字或いは図案があるパズル塊のマットとパズルとは、皆取り外しができるパズル接式の設計であり、使用上、収蔵上は非常に便利である。しかし、パズル塊が容易に落ちたり、なくなったりという欠点がある。
【考案の開示】
【考案が解決しようとする課題】
【０００３】
しかしながら、上記のように従来の構造の設計は、使用、収蔵上では便利であるが、パズル塊が容易に落ちたり、なくなったりという欠点がある。
【課題を解決するための手段】
【０００４】
本考案は上記の課題を解決するためになされたものであり、パズル接式平板を提供し、該平板は、第一パズル接塊と、第一パズル接塊の一側に連接した若干の第二パズル接塊とを有し、各該パズル接塊の対応辺に更に形状を互いに補う連接部が設けられていて、上記の欠点をなくす効果が達成される。
【考案を実施するための最良の形態】
【０００５】
以下、図面に従って本考案の実施例を説明する。
図１と図２とは本考案の一実施例によるパズル接式平板で、該パズル接式平板１０は、適当な柔軟度がある弾性発泡材料（例えばゴム、Ｐｕ、ＥＶＡ等）で製作されている。該パズル接式平板１０は裁切ナイフを利用してその辺縁から切り込んだ後で、湾曲の道径に沿って適当な距離を裁切した後に裁切ナイフを収めて形成し、裁断していない。これで、四つの第一パズル接塊１２及び、三つの第一パズル接塊１２の一側の第二パズル接塊１４を形成することができる。各該第一パズル接塊１２及び第二パズル接塊１４の対応辺は湾曲状の連接部２２を形成する。
【０００６】
これによって、該パズル接式平板１０の表面に図案或いは文字（図の中には表示していない）を設置することができ、パズルとして使用することができる。その使用方式を下記に示す。各該第一パズル接塊１２及び第二パズル接塊１４は一体式の設計であるので、各該第一パズル接塊１２及び第二パズル接塊１４を取り開いた後でも分離しない。そして、各該第一パズル接塊１２及び第二パズル接塊１４の連接部２２をパズル連接すればパズルの動作を完成することができる。このように、該パズル接式平板１０は、使用上では、ただパズルの楽しみを味わうことができ、周知のパズルのパズル塊が容易に落ちたり、なくなったりという欠点が発生することがなく、実用価値がある。
【０００７】
次に、図３をご参照下さい。これは本考案の他の実施例で、パズル接式平板３０の構造は、大体、上記の該パズル接式平板１０と同じであるので、説明を省略する。違ったところは、その表面には更に一層の布材層３２が貼っている。これで該パズル接式３０は前記で示した効果があって、尚且つ、該布材層３２は、更に容易に図案或いは文字を印刷することができる。
図４に示すように、本考案のさらに他の実施例によるパズル接式平板４０の構造も大体、該パズル接式平板１０と同じで、マットに使う形式である。
【０００８】
（考案の効果）
上記で述べたように本考案は、各該第一パズル接塊及び第二パズル接塊の一体式の設計によって、マットとパズルとを運用することができる以外に、やはりマットとパズルとの基本使用の効果があって、更に周知のマットとパズルのパズル塊とが容易に落ちたり、なくなったりという欠点が発生することがないので、実用価値がある。
【図面の簡単な説明】
【０００９】
【図１】本考案の一実施例によるパズル接式平板を示す斜視図である。
【図２】本考案の一実施例によるパズル接式平板の取り外した状態を示す平面図である。
【図３】本考案の他の実施例によるパズル接式平板を示す斜視図である。
【図４】本考案のさらに他の実施例によるパズル接式平板を示す斜視図である。
【符号の説明】
【００１０】
１０：パズル接式平板、１２：第一パズル接塊、１４：第二パズル接塊、２２：連接部、３０：パズル接式平板、３２：布材層、４０：パズル接式平板
【図１】
0003132109.tif 000003
【図２】
0003132109.tif 000004
【図３】
0003132109.tif 000005
【図４】
0003132109.tif 000006
(57)【要約】【課題】    風船内に予めギフト品又は装飾品を充填しておき、必要に応じて風船内に空気を注入してラッピング加工をすることができるラッピング風船を提供すること。【解決手段】    ラッピング風船１０の内部にギフト品２０を充填し、必要に応じて内部に空気を注入してラッピング加工を行う。風船内部に充填したギフト品２０にテグス２１を結合し、テグス２１を風船の空気注入口から突出させ、風船を膨らませた時風船ないでギフト品２０が倒れないようする。【選択図】    図１
0003132105.tif 000002
【実用新案登録請求の範囲】
【請求項１】
風船内部にギフト品又は装飾品を充填し、必要に応じて風船内に空気を注入してラッピング加工を行うことを特徴とするラッピング風船。
【請求項２】
風船内部に充填したギフト品又は装飾品にテグスを結合し、該テグスを風船の空気注入口から突出させたことを特徴とする請求項１に記載のラッピング風船。
【考案の詳細な説明】
【技術分野】
【０００１】
本考案は、風船内にギフト品又は装飾品を充填したラッピング風船に関している。
【背景技術】
【０００２】
ゴム風船の中にギフト品又は装飾品を収納したラッピング風船及びラッピング風船を製造するラッピング装置は公知である。
【特許文献１】アメリカ特許第４９７４３９３号公報
【０００３】
特許文献１に記載のラッピング装置は、負圧発生装置と連動させたラッピング箱を備えており、ラッピング箱の中でゴム風船の周囲に負圧環境を形成して風船を膨らませ、膨らんだ風船内にギフト品又は装飾品を収納してラッピングするものであって、店頭又はイベント会場において客の注文によりラッピング加工を行うために使用されることが多いものである。
【０００４】
上記したラッピング装置によって加工された風船は、プレゼント用品に使用されることは勿論のこと、風船内に収容するギフト品や装飾品が多種に及ぶこともあって、プレゼント用品に限らず部屋のアクセサリーにもなるものである。しかし、ラッピングされた風船はそれ自体が大きいものなので、数多くを製造した場合は、陳列する場所を確保することが難しくなるといった問題があった。
【考案の開示】
【考案が解決しようとする課題】
【０００５】
本考案が解決しようとする課題は、風船内に予めギフト品又は装飾品を充填しておき、必要に応じて風船内に空気を注入してラッピング加工をすることができるラッピング風船を提供することである。
【課題を解決するための手段】
【０００６】
解決手段の第１は、風船内部にギフト品又は装飾品を充填し、必要に応じて風船内に空気を注入してラッピング加工を行うことを特徴とするものである。
【０００７】
解決手段の第２は、解決手段の第１において、風船内部に充填したギフト品又は装飾品にテグスを結合し、該テグスを風船の空気注入口から突出させたことを特徴とするものである。
【考案の効果】
【０００８】
請求項１は、ギフト品を充填したラッピング風船に空気を注入すれば風船によるラッピング加工ができるだけでなく、風船が膨らんでいないから、箱詰めして搬送できると共に店頭において陳列する場合も広い場所を必要としない効果がある。
【０００９】
請求項２は、ギフト品にテグス１が結束されていて風船の空気注入口から突出させているから、テグスによって当該ギフト品を吊り上げ、風船を膨らませた時にギフト品が風船内で倒れたりすることが防止できるものである。
【考案を実施するための最良の形態】
【００１０】
図１は内部にギフト品を充填したラッピング風船を示す斜視図。図２は本考案のラッピング風船内に空気を注入してラッピング加工をした一例を示す斜視図。
【００１１】
図１において、１０はラッピング風船を示しており、内部にギフト品２０を充填し、風船の空気注入口１１から上記ギフト品２０と結合したテグス２１を突出している。
【００１２】
上記ラッピング風船１０は、例えば、特許文献１に記載のラッピング装置を使用して風船内に空気とギフト品を充填したものである。すなわち、ラッピング装置によって空気注入口１１を広げ、内部にギフト品２０を収容すると共に空気を注入して風船を膨らませてラッピング加工を施した風船を形成し、その後に空気を抜いて萎ませたものである。
【００１３】
上記ギフト品２０が、一例として動物人形である場合は、ラッピング加工された時に人形が風船内で横向きになったりすることを防止するため、当該ギフト品２０にテグス２１を結合して風船の空気注入口１１から突出させておく。
【００１４】
なお、ギフト品２０を充填したラッピング風船１０は、風船が膨らんでいないから、箱詰めして搬送できるだけでなく、店頭において陳列する場合も広い場所を必要としないものとなっている。
【００１５】
図２に示すように、ギフト品２０が充填されているラッピング風船１０に空気を注入して膨らませると、当該ラッピング風船１０が膨らんでラッピング加工された状態となるから、ここで、空気注入口１１を結束すると共に、結束部にリボン２２などを配して体裁よく仕上げると、ラッピング加工されたギフト風船が得られる。
【００１６】
実施形態によれば、ギフト品２０にはテグス２１が結束されていて風船の空気注入口１１から突出させているから、テグス２１によって当該ギフト品２０を吊り上げ、風船を膨らませた時にギフト品２０が風船内で倒れたりすることが防止できる。
【００１７】
また、実施形態は、風船を膨らませた状態で内部にギフト品又は装飾品を充填した後、空気を抜いて萎ませたものであるから、萎んだ風船から内部に充填されているギフト品等が詳細に判明せず、したがって、膨らんでからでないと風船内のギフト品等が分からないという楽しみもある。
【図面の簡単な説明】
【００１８】
【図１】内部にギフト品を充填したラッピング風船を示す斜視図。
【図２】本考案のラッピング風船内に空気を注入してラッピング加工をした一例を示す斜視図。
【符号の説明】
【００１９】
１０  ラッピング風船
１１  空気注入口
２０  ギフト品
２１  テグス
２２  リボン
【図１】
0003132105.tif 000003
【図２】
0003132105.tif 000004
(57)【要約】【課題】  使い心地がよく、また耐磨耗性が高く、かつ滑り止め突起がはがれにくい作業用手袋を提供する。【解決手段】  編成手袋の掌側表面に、樹脂からなる被膜層を形成し、さらに該被膜層表面の一部または全部に、樹脂からなる滑り止め突起を散点状に形成した作業用手袋。【選択図】      図１
0003132169.tif 000002
【実用新案登録請求の範囲】
【請求項１】
編成手袋（１）の掌側表面に、樹脂からなる被膜層（２）を形成し、さらに該被膜層（２）表面の一部または全部に、樹脂からなる滑り止め突起（３）を散点状に形成することを特徴とする作業用手袋。
【考案の詳細な説明】
【技術分野】
【０００１】
本考案は、工場での作業や農作業に用いる作業用手袋に関する。
【背景技術】
【０００２】
従来、工場での作業や、園芸、農作業等において、手の汚れを防ぐために、編成手袋の全表面あるいは掌側表面を樹脂で被覆した手袋や、編成手袋の掌側全面に樹脂製の滑り止め突起を設けた手袋が使用されている。しかしながら、手袋に樹脂を被覆したものは、指先の感覚が伝わりやすく、使い心地はいいが、磨耗しやすく孔が開きやすい。また、樹脂製の滑り止め突起を設けたものは、耐磨耗性は高いが生地の網目から水や油、泥などが入り、手が汚れやすく、また、突起のせいで指先の感覚が伝わりにくく、さらに大きな力がかかると突起が手袋からはがれてしまうという問題点がある。そこで、文献１において、掌側全面に弾性材料よりなる滑り止め突起が散点状に付着形成され、さらにその上に滑り止め突起が突出するように弾性材料よりなる塗膜面を形成した手袋が提案されている。この手袋によれば、従来のものと比べて滑り止め効果が向上し、また滑り止め突起の耐久性も向上する。
【特許文献１】特開２０００−３２８３２８号公報
【０００３】
しかしながら、文献１の発明は、滑り止め突起が手袋の生地に直接付着しているため、突起に大きな力がかかった場合にははがれてしまう可能性があり、突起が一つでもはがれてしまうと、生地が露出するため、そこから水などが浸入してしまうという問題があった。
【考案の開示】
【考案が解決しようとする課題】
【０００４】
本考案は、上記事情を鑑みたものであり、使い心地がよく、かつ滑り止め突起がはがれにくい作業用手袋を提供することを目的とする。
【課題を解決するための手段】
【０００５】
本考案は、編成手袋の掌側表面に、樹脂からなる被膜層を形成し、さらに該被膜層表面の一部または全部に、樹脂からなる滑り止め突起を散点状に形成することを特徴とする。
【考案の効果】
【０００６】
本考案によれば、編成手袋の掌側表面が樹脂からなる被膜層で覆われているので、水や油、泥などの浸入を防ぐことができる。また、作業により耐磨耗性が必要な部分のみに樹脂からなる滑り止め突起を設け、その他の部分は被膜層のみとすることにより、指先の感覚がわかりやすく、かつ耐磨耗性が高い手袋とすることができる。さらに、滑り止め突起が被膜層の表面に付着するため、手袋の生地に付着する場合と比べてより強固に接着され、大きな力がかかってもはがれにくい。また、万一滑り止め突起がはがれてしまったとしても、被膜層が残り、手袋の生地が露出することはなく、水などが浸入しないため、手袋としての機能が大きく低下することはない。
【考案を実施するための最良の形態】
【０００７】
本考案の作業用手袋の具体的な構成について、各図面に基づいて説明する。図１に示すのは、本手袋の第一実施形態の正面図であり、（ａ）が甲側、（ｂ）が掌側である。
【０００８】
本手袋は、綿糸を編んでなる編成手袋１の掌側表面に、ニトリルゴムからなる被膜層２を形成し、被膜層２の表面に、ニトリルゴムからなる滑り止め突起３を設けたものである。編成手袋１は一般的な軍手であるが、その材料は、綿のほか、ポリエステル、レーヨン、アクリル、あるいはそれらの合成繊維等、使用目的によって自由に選ぶことができる。また、被膜層２は、掌側の略全面を覆うように設けられるが、図１（ａ）に示すように、甲側の一部に及ぶものであってもよい。さらに、被膜層２および滑り止め突起３の材料は、ニトリルゴムのほか、天然ゴム、アクリルゴム、ウレタンゴム、シリコーンゴムなど、使用目的に合わせた強度や柔軟性を持つ素材から自由に選ぶことができる。
【０００９】
図２（ａ）に示すのは、被膜層２および滑り止め突起３を設けた部分の断面図である。編成手袋１の表面に、一定厚さの被膜層２が設けられ、その表面に、凸状の滑り止め突起３が設けられている。編成手袋１および被膜層２の厚さならびに滑り止め突起３の高さは図示したものに限られず、自由に設定でき、被膜層２は部位によって厚さが異なるものであってもよい。
【００１０】
さらに、図２（ｂ）に示す第二実施形態のように、被膜層２は、内被膜層２ａと、外被膜層２ｂと、からなり、編成手袋１の表面に内被膜層２ａを形成し、内被膜層２ａの表面に外被膜層２ｂを形成したものであってもよい。内被膜層２ａおよび外被膜層２ｂならびに滑り止め突起３は、同じ材質からなるものであってもよいし、異なる材質からなるものであってもよい。なお、内被膜層２ａおよび外被膜層２ｂを同じ材質とした場合には、成分の配合比率や発泡倍率を変えることで、それぞれ異なる特性を有するようにすることが望ましい。例えば、内被膜層２ａの硬度を低く、外被膜層２ｂの硬度を高くすれば、表面が磨耗に強く、着用感が良好なものとなる。また、内被膜層２ａの硬度を高く、外被膜層２ｂの硬度を低くすれば、物をつかんだ際に物を傷付けず、滑りにくくなる。
【００１１】
また、内被膜層２ａおよび外被膜層２ｂならびに滑り止め突起３は、すべて異なる色に着色してもよい。このように形成すると、磨耗した際にその部分の色が変わることから、手袋の交換時期を容易に判断できる。
【００１２】
さらに、滑り止め突起３の形状は、図示するような円形のほか、線状や面状のものであってもよい。さらに、滑り止め突起３は、編成手袋１の掌側の一部分にのみ設けられるものであってもよい。図３に示すのは本手袋の他の実施形態の掌側の正面図であり、（ａ）が第三実施形態、（ｂ）が第四実施形態である。第三実施形態の手袋は、掌側の全面に被膜層２を設け、その表面の指先部分のみに滑り止め突起３を設けたものであり、指先で物を摘むような作業の際に用いられる。また、第四実施形態の手袋は、掌側の全面に被膜層２を設け、その表面の掌部分のみに滑り止め突起３を設けたものであり、指先の感覚が必要な作業の際に用いられる。
【００１３】
本考案の作業用手袋は、上記実施例に限定されるものではない。例えば、編成手袋は、手首部分を延長して、肘まで覆うようにしてもよい。また、被膜層は手袋の全表面を覆うものであってもよい。
【図面の簡単な説明】
【００１４】
【図１】本考案の手袋の第一実施形態の正面図。
【図２】第一実施形態および第二実施形態の部分断面図。
【図３】第三実施形態および第四実施形態の掌側の正面図。
【符号の説明】
【００１５】
１  編成手袋
２  被膜層
３  滑り止め突起
【図１】
0003132169.tif 000003
【図２】
0003132169.tif 000004
【図３】
0003132169.tif 000005
(57)【要約】      （修正有）【課題】簡単な構造ながらメガネの保持位置をスムーズに上下に変更出来る便利なノーズパッドを開発する。【解決手段】長径と短径とからなる略楕円形をなしたノーズパッド本体の裏面からパッド足が植設されているノーズパッドにおいて、パッド足をノーズパッド本体の裏面の長径方向一方側に偏位させて植設すると共に、該パッド足を軸として本体が上下方向に１８０°回転し得る様にした。【選択図】図１
0003132131.tif 000002
【実用新案登録請求の範囲】
【請求項１】
長径と短径とからなる略楕円形をなしたノーズパッド本体の裏面からパッド足が植設されているノーズパッドにおいて、パッド足をノーズパッド本体の裏面の長径方向一方側に偏位させて植設すると共に、該パッド足を軸として本体が上下方向に１８０°回転し得る様にしたことを特徴とする可変ノーズパッド。
【請求項２】
パッド足が、パッドボックスに回転自在に軸支されていることを特徴とする請求項１記載の可変ノーズパッド。
【請求項３】
パッド足が、ノーズパッド本体に回転自在に軸支されていることを特徴とする請求項１記載の可変ノーズパッド。
【考案の詳細な説明】
【技術分野】
【０００１】
この考案はメガネの構成部品であるノーズパッド、詳しくは、メガネの保持位置を変更可能な遠近両用メガネ用のノーズパッドに関するものである。
【背景技術】
【０００２】
一つのレンズの内に凸レンズ領域と凹レンズ領域とが存在している所謂累進レンズを用いた遠近両用メガネは、中高年に多く利用されている。
【特許文献１】なし
【非特許文献１】なし
【考案の開示】
【考案が解決しようとする課題】
【０００３】
遠近両用メガネにおいては、一つのレンズの内に凸レンズ領域と凹レンズ領域とが併存しているので、使用の際にはメガネをずらしたり、逆に目の位置を変えたりして、それぞれの領域を使い分ける必要があり、慣れないと眼精疲労を起こすこともあり、その使用にはある程度の慣れが必要であった。この為、メガネの保持部材であるノーズパッドに工夫を加え、メガネの保持位置を上下に変更出来る様にした遠近両用メガネもいくつか提案されている。しかしながら、これらは、構造が複雑で高価であったり、位置の変換がスムーズに行えないものがほとんどであり、到底実用に耐え得るものではなかった。本考案者は、遠近両用メガネの機能をより十分に発揮させるべく、研究を行った結果、簡単な構造ながらメガネの保持位置をスムーズに上下に変更出来る便利なノーズパッドを開発することに成功し、本考案としてここに提案するものである。
【課題を解決するための手段】
【０００４】
長径と短径とからなる略楕円形をなしたノーズパッド本体の裏面からパッド足が植設されているノーズパッドにおいて、パッド足をノーズパッド本体の裏面の長径方向一方側に偏位させて植設すると共に、該パッド足を軸として本体が上下方向に１８０°回転し得る様にして上記課題を解決した。
【実施例１】
【０００５】
図１は、この考案に係る可変ノーズパッドの実施例１の縦断面図、図２は、ノーズパッドを１８０°変位させた状態の縦断面図である。図中１はノーズパッド本体であり、長径と短径とからなる略楕円形をなし、表面側方向にゆるく膨出している。そして、このノーズパッド本体１の裏面の長径方向一方側に偏位した位置からは、ほぼ直角にノーズパッド足２が植設されている。一方、メガネフレームのパッドボックス４内には、パッドボックス４の対向した一対の側面間に設けられた枢支軸５によって、小さなブロック状の基部片７が揺動自在に枢支されており、この基部片７に前記ノーズパッド足２の先端が回転自在に挿入係止されている。なお、図示は省略したが、ノーズパッド足２を回動させた際、上死点及び下死点、つまり１８０°上下に変位したそれぞれの位置において、クリック感が付与される様になっている。この実施例は上記の通りの構成を有し、ノーズパッド本体１を手で摘んで、１８０°回転させれば、図１及び図２の位置を自由に選ぶことが出来る。従って、遠近両用メガネの凹レンズ領域を用いるときは、ノーズパッド本体１を図２に示す位置にして、メガネの保持位置を高くし、凹レンズ領域を見やすくし、凸レンズ領域を用いるときは、ノーズパッド本体１を図１に示す位置にして、メガネの保持位置を低くし、凸レンズ領域を見やすくすれば良い。この様に、ノーズパッド本体１を単に回転させるだけで良いので、スムーズな高さの変換が可能で、しかも構造も単純な為、製造も容易で、耐久性にもすぐれている。
【実施例２】
【０００６】
図３はこの考案に係る可変ノーズパッドの実施例２の縦断面図、図４はノーズパッドを１８０°変位させた状態の縦断面図であり、この実施例２においては、ノーズパッド足２がノーズパッド本体１に回転可能に軸支されており、ノーズパッド足２の先端は、基部片７に固定されている。他の部分は前述の実施例１と同じ構造であり、同一符号を付してその説明を省略する。又、この実施例２においても、上下１８０°変位したそれぞれの位置でクリック感が付与される様になっている。この実施例２は上記の通りの構成を有し、ノーズパッド本体１を手で摘んで、１８０°回転させ、図３及び図４の位置を自由に選ぶことが出来る。従って、遠近両用メガネの凹レンズ領域を用いるときは、ノーズパッド本体１を図４に示す位置にして、メガネの保持位置を高くし、凹レンズ領域を見やすくし、凸レンズ領域を用いるときは、ノーズパッド本体１を図３に示す位置にして、メガネの保持位置を低くし、凸レンズ領域を見やすくすれば良い。この実施例２も前述の実施例１同様、ノーズパッド本体１を単に回転させるだけで良いので、スムーズな高さの変換が可能で、しかも構造も単純な為、製造も容易で、耐久性にもすぐれている。
【図面の簡単な説明】
【０００７】
【図１】この考案に係る可変ノーズパッドの実施例１の縦断面図。
【図２】同じく、ノーズパッド本体を１８０°上下方向に変位させた状態の縦断面図。
【図３】この考案に係る可変ノーズパッドの実施例２の縦断面図。
【図４】同じく、ノーズパッド本体を１８０°上下方向に変位させた状態の縦断面図。
【符号の説明】
【０００８】
１    ノーズパッド本体
２    ノーズパッド足
４    パッドボックス
５    枢支軸
７    基片部
【図１】
0003132131.tif 000003
【図２】
0003132131.tif 000004
【図３】
0003132131.tif 000005
【図４】
0003132131.tif 000006
(57)【要約】      （修正有）【課題】製造面では容易に加工することができ明確な印刷表示が可能であり、実用面では、広げて切り込み部を噛み合わせると扇子として充分に涼を取れ、持ち手部分まで印刷できる厚紙が固定されることにより印刷面のデザインが定まるので広告物としても使用可能である紙扇子の提供。【解決手段】材質を厚紙のみに限定することによりコストを抑え、凸版印刷により印刷表示を明確にし、広げた際厚紙の切り込み部を噛み合わせ扇状に固定することにより、涼を取る用途、デザインが完成することによる広告物としての用途に充分なものである。また留め部分まで厚紙を使用しているので、使用後も分別の必要がなく燃えるごみとして破棄することができる。【選択図】図２
0003132200.tif 000002
【実用新案登録請求の範囲】
【請求項１】
留め方法：厚紙数枚を下部円形型抜き部に重ね合わせ、厚紙本体の突起部を下部円形型抜き部に差し込むことにより鳩目の代わりとして厚紙数枚を留める方法。
【請求項２】
固定方法：扇状に広げた際、厚紙の切り込み部を噛み合わせることにより扇状を固定することができ、厚紙に印刷したデザイン・絵柄等が完成する方法。
【請求項３】
材料：竹・ＰＰ等の骨、留め具として金属性・プラ製の鳩目、固定させる為の接着剤を全く使用せず厚紙のみの組み合わせからなる紙製の扇子。
【考案の詳細な説明】
【技術分野】
【０００１】  本考案は厚紙のみからなる紙製扇子に関する。
【背景技術】
【０００２】  竹・ＰＰの骨に和紙を貼った従来の扇子、または厚紙を使用し下部を金属性・ＰＰ製の鳩目で留めてある紙扇子は一般的によく知られている。
【考案の開示】
【考案が解決しようとする課題】
【０００３】  しかしながら、従来の扇子は宣伝用に大量に使用する場合、材料・加工の面でコスト、納期が掛かり、さらに和紙使用の為、表裏各面の印刷効果に限度あった。また留め具として金属・ＰＰ製の鳩目使用の紙扇子の場合、廃棄処理時に環境面で問題があった。
【課題を解決する為の手段】
【０００４】  本考案は、材料として厚紙のみを使用している為使用後の焼却処理に問題はなく、製造コストも抑えることができ、広げた際凸版印刷による印刷面を扇状に固定することによりデザインを明確に表示することで上記課題を解決するものである。
【考案を実施する為の最良の手段】
【０００５】  図１に示すような形状に厚紙を型抜きする。
【０００６】  図２に示すように下部円形型抜き部に合わせて厚紙を重ねる。
【０００７】  図３に示すように厚紙１の下部突起部分７を厚紙２・３・４・５の下から包み込み、厚紙５・４・３・２・１の円形型抜き部６に差し込む。厚紙１の下部突起部７には返し８が付いているため重ね合わせた厚紙が離れることはない。円形型抜き部６を中心に扇状に厚紙を広げることができ、厚紙上部にある切り込みと切り込みを噛み合わせることにより扇状に固定することができる。また、固定することにより印刷したデザインが完成する。
【０００８】  図４に示すように使用後は切り込みから外し、下部円形部を中心に厚紙１枚分のサイズに閉じることができる。
【考案の効果】
【０００９】  本考案に掛かる紙扇子は厚紙が材料の為、製造面では容易に加工することができ明確な印刷表示が可能である。実用面では、広げて切り込み部を噛み合わせると扇子として充分に涼を取れ、持ち手部分まで印刷できる厚紙が固定されることにより印刷面のデザインが定まるので広告物としても使用可能である。折りたたむと厚さ約４ｍｍで軽量なので持ち運びにも簡易である。また、環境面では金属・ＰＰを使用していないので分別の必要がなく燃えるごみとして廃棄することができる。
以上の点から本考案は製造面・実用面・環境面で優れたものである。
【図面の簡単な説明】
【００１０】
【図１】本考案に係る紙扇子を構成する厚紙の型抜き形状図である。
【図２】本考案に係る紙扇子を構成する厚紙を重ね合わせた図である。
【図３】本考案に係る紙扇子を広げた図である
【図４】本考案に係る紙扇子を閉じた図である。
【符号の説明】
【００１１】１・・・紙扇子を構成する下部に突起がついた厚紙
２・・・紙扇子を構成する厚紙
３・・・紙扇子を構成する厚紙
４・・・紙扇子を構成する厚紙
５・・・紙扇子を構成する厚紙
６・・・円形型抜き部
７・・・厚紙１の下部突起部
８・・・下部突起部７の返し
９・・・切込み部
【図１】
0003132200.tif 000003
【図２】
0003132200.tif 000004
【図３】
0003132200.tif 000005
【図４】
0003132200.tif 000006
【手続補正書】
【提出日】平成18年9月2日(2006.9.2)
【手続補正１】
【補正対象書類名】実用新案登録請求の範囲
【補正対象項目名】全文
【補正方法】変更
【補正の内容】
【実用新案登録請求の範囲】
【請求項１】
留め部分：厚紙数枚を下部円形型抜き部に重ね合わせ、厚紙本体の突起部を下部円形型抜き部に差し込むことにより鳩目の代わりとして厚紙数枚をまとめて留める部分。
【請求項２】
固定形状：扇状に広げた際、厚紙の切り込み部を噛み合わせることにより扇状を固定することができ、厚紙に印刷したデザイン・絵柄等が完成する形状。
【請求項３】
材料：竹・ＰＰ等の骨、留め具として金属性・プラ製の鳩目、固定させる為の接着剤を全く使用せず「厚紙のみ」の材料で完成する。
【手続補正書】
【提出日】平成19年2月16日(2007.2.16)
【手続補正１】
【補正対象書類名】実用新案登録請求の範囲
【補正対象項目名】全文
【補正方法】変更
【補正の内容】
【実用新案登録請求の範囲】
【請求項１】
突起部の付いた厚紙１枚と厚紙数枚を厚紙下部円形型抜き部に重ね合わせ、突起部を厚紙下部円形型抜き部に差し込むことにより鳩目の代わりとして厚紙数枚をまとめて留め、それにより完成する紙製扇子。
【請求項２】
左右に広げた際、厚紙の切り込み部を噛み合わせることで扇状に固定することができ、それにより厚紙に印刷したデザイン・絵柄等が完成する形状を持った請求項１に記載の紙製扇子。
【請求項３】
本考案をなす材料として竹・ＰＰ等の骨、留め具として金属性・プラ製の鳩目、固定させる為の接着剤を全く使用せず、数枚の厚紙のみの組み合わせによって完成する請求項１または請求項２に記載の紙製扇子。
(57)【要約】【課題】  一般書籍よりはるかに大きな紙面を重ねて折りたたんだだけの単純さの中には、記事選択の自由さや、活字の大小による読解のスピードなど得難い特長も多い。更に扱い易さや読み易さといった読む側の思いも加えてより活字文化に親しみたいものである。【解決手段】  扱い易さや読み易さは、携帯用のペーパーナイフで紙面見開き中心線の下半分を切り離し、切り離さない見開き中心線の上半分をばらつかないようにクリップで留めるものである。【選択図】図１
0003132199.tif 000002
【実用新案登録請求の範囲】
【請求項１】
日刊新聞紙見開き中心線上の下半分を全部切り離して解放する。切り離さない上半分の上下２個所を紙ばさみで留めて簡単な製本のようにする。
【考案の詳細な説明】
【技術分野】
【０００１】  本考案は日刊新聞用紙の改良に関するものである。
【背景技術】
【０００２】  新聞用紙は２０枚くらいを重ねて見開き中心線で折り曲げてページ数３０〜４０で発行されている。
【考案の開示】
【考案が解決しようとする課題】
【０００３】  紙面は大きくてページをめくるときなど、相当の広さがないと周囲に迷惑をかけたり、また、紙面がばらけたりすることもあって取り扱いにくいものである。
【課題を解決するための手段】
【０００４】  本考案は、見開き中心線上を下半分全ページとも切断してしまう。切断されない上半分の中心線上の上と下を、幅のせまい直線状のクリップで全ページばらけないように固定する。
【考案の効果】
【０００５】  紙面の折り目が短くなってページめくりが手軽になり、ばらけることもなくなる。
【考案を実施するための最良の形態】
【０００６】  携帯用のペーパーナイフで、見開き中心線上の下半分を全ページまとめて切断する。クリップは上下２個をゴム紐でつなぎ見開き中心線上の上半分にはさみ固定する。
【実施例】
【０００７】  以下、添付図面に従って一実施例を説明する。１は市販の日刊新聞紙。２は新聞紙全ページを挟み留めるクリップ、３はクリップをつなぐゴム紐で、４は新聞見開きの中心線上の下半分である。まず、４をペーパーナイフで切り離し、２のクリップで見開き中心線上の上半分を挟み留めて簡易製本状にできるものである。
【図面の簡単な説明】
【０００８】
【図１】  本考案の改良された新聞紙面の斜視図である。
【符号の説明】
【０００９】１  見開き新聞紙面
２  紙面挟み留めクリップ
３  クリップつなぎゴム紐
４  見開き中心線上の下半分
【図１】
0003132199.tif 000003
【手続補正書】
【提出日】平成18年8月4日(2006.8.4)
【手続補正１】
【補正対象書類名】明細書
【補正対象項目名】全文
【補正方法】変更
【補正の内容】
【考案の詳細な説明】
【技術分野】
【０００１】  本考案は、新聞の形状と組合せの改良に関するものである。
【背景技術】
【０００２】  新聞は、横長の紙面１０枚程重ねあわせたものを、横の向きは左右を揃えて内側に折りたたみ、縦の向きは上下を揃えて外側に折りたたまれた形で発行されている。
【考案の開示】
【考案が解決しようとする課題】
【０００３】  紙面は大きくてめくるときは、まわりに余裕がないと迷惑を掛けたり、折りたたまれている紙面がばらけたりすることもあって、車中などでは特に取り扱いにくいものである。
【課題を解決するための手段】
【０００４】  新聞紙面の見開きで切れ目のない横長の紙面を出し、中央の縦の折り目である中央線の下半分を全紙面切り離して解放する。
残りの上半分は、２個の細長いクリップと、そのあいだをつなぐ細い丸ゴム紐で出来た一本の直線のような紐を用いて上と下をはさみ留めて固定する。
【考案の効果】
【０００５】  紙面縦の折り目であって軸ともいえる中心線が短くなり、紙面めくりも手軽に出来るようになる。車中などの狭い場所でも、一面表の横折り線と、反対の内側へ折る線を既設線の直近上部に付ければ、奇数の紙面だけを順次読めるようになる。
偶数の紙面は、最後の紙面から読むと全部読み上げることになる。丸ゴム紐付クリップは、使用済後取りはずして次回の新聞に何度でも使用できるものである。
【考案を実施するための最良の形態】
【０００６】  携帯用のペーパーナイフで、中間見開き紙面の中央線とおりに下から半分切り離して解放する。残った上半分に、上のクリップは下に向けて下のクリップは上に向けて見開き全紙面の中央線にはさみ留めて固定する。ゴム紐はクリップの脱落防止と、軸の補助としての働きもしてくれる。
【実施例】
【０００７】  以下、添付図面に従って一実施例を説明する。１は全紙面数半分の見開き紙面である。この紙面中央縦の折り線の下半分４を、切り離して各見開き紙面を解放する。切り残した各見開き紙面の上半分を３の細い硬質プラスチック製のクリップで、上は下向けに下は上向けに挟み留めて固定する。クリップは、２の丸ゴム紐でつながれているので、中央の折り線と同じように重なって簡単な製本のようになるのである。
【図面の簡単な説明】
【０００８】
【図１】  本考案の改良された新聞の見開き紙面の平面図である。
【図２】  丸ゴム紐付クリップの平面図である。
【図３】  丸ゴム紐付クリップの正面図である。
【図４】  本考案改良新聞の見取図である。
【符号の説明】
【０００９】１  見開き新聞紙面
２  丸ゴム紐
３  硬質プラスチック製のクリップ
４  見開き中心線の下半分
【手続補正２】
【補正対象書類名】図面
【補正対象項目名】全図
【補正方法】変更
【補正の内容】
【図１】
0003132199.tif 000004
【図２】
0003132199.tif 000005
【図３】
0003132199.tif 000006
【図４】
0003132199.tif 000007
【手続補正書】
【提出日】平成18年8月4日(2006.8.4)
【手続補正１】
【補正対象書類名】図面
【補正対象項目名】全図
【補正方法】変更
【補正の内容】
【図１】
0003132199.tif 000008
【図２】
0003132199.tif 000009
【図３】
0003132199.tif 000010
【図４】
0003132199.tif 000011
【手続補正書】
【提出日】平成18年8月4日(2006.8.4)
【手続補正１】
【補正対象書類名】実用新案登録請求の範囲
【補正対象項目名】全文
【補正方法】変更
【補正の内容】
【実用新案登録請求の範囲】
【請求項１】
新聞紙面数の半分で見開き紙面を求めて、各見開き紙面の重なったものを用意する。この紙面の中央縦折り線を、下半分全紙面切り離して解放する。
残した上半分を、丸ゴム紐でつないだ細い硬質プラスチックのクリップで、ゴム紐を紙面の表に置き全紙面の上と下をはさみ留めると、新聞は、簡単な製本されたようになるところを特徴とする改良された新聞。
【手続補正書】
【提出日】平成19年2月21日(2007.2.21)
【手続補正１】
【補正対象書類名】実用新案登録請求の範囲
【補正対象項目名】請求項１
【補正方法】変更
【補正の内容】
【請求項１】
新聞の紙面をめくるとき縦の軸になる見開き中央線を、全紙面一緒に下から半分の長さのところまで切り込みを入れ、切り残した上半分の両端は、上と下をクリップではさみつなぎとめて簡単な製本のようにした新聞。